(57)【要約】【課題】高さの異なる収納物を一つのキャリアに収納する場合であっても，キャリアを上下に重なり合うように積み重ねたとき、山積みしたキャリアのバランスが悪くなることのないキャリアを提供する。【解決手段】キャリア１のグリップパネル１０ａ，ｂには，ノベルティ２ｂを収納する反対側にグリップパネル１０ａ，ｂを倒したときに，ビール缶２ａとノベルティ２ｂの高さの差を補う両端開放のスリーブ１８を形成する加工が施されている。キャリアを上下に重なり合うように積み重ねるとき，ノベルティ２ｂを収納する反対側にグリップパネル１０ａ，ｂを倒すことでスリーブ１８が形成され，山積みしたキャリア１のバランスが悪くなることはなくなる。【選択図】図３
2010265027.tif 000002
【特許請求の範囲】
【請求項１】
紙素材でできた一枚のブランクが折り畳み・糊付けして形成されるキャリアであって，
前記キャリアは，グリップ穴を有する第１のグリップパネル及び第２のグリップパネルの一部が接着されることで中央が仕切られ，第１の収納物を収納する第１の収納部が前記第１のグリップパネル側に設けられ，前記第１の収納物よりも高さが高い第２の収納物を収納する第２の収納部が前記第２のグリップパネル側に設けられ，前記第１のグリップパネル及び前記第２のグリップパネルそれぞれと連結し，前記第２の収納物の高さに最大高さが合わせられた２つの第１の周壁パネルと，前記第１の周壁パネルと連結する２つの第２の周壁パネルが少なくとも設けられ，
前記第１のグリップパネル及び前記第２のグリップパネルの一部を接着した状態で前記第２のグリップパネル側に倒したときに，前記第１の収納物と前記第２の収納物の高さの差を補う両端開放のスリーブを形成する加工が前記第１のグリップパネル及び前記第２のグリップパネルに施されていることを特徴とするキャリア。
【請求項２】
請求項１に記載のキャリアであって，
前記第１のグリップパネルには，前記第１の周壁パネルの最大高さの箇所に，該位置から前記第１の収納物と前記第２の収納物の高さの差に応じて決定される位置まで下方向に斜めに伸びる一対の切線と，前記切線の下端を結ぶ第１の折線と，前記グリップ穴の下端の両側から水平に伸びる一対の第２の折線と，前記第２の折線の位置から該高さの差に応じて決定される上方向の箇所に，水平に伸びる一対の第３の折線とが設けられ，前記第２のグリップパネルには，前記第１のサイドパネルの最大高さの箇所に水平に伸びる第４の折線が設けられ，
前記第１の折線の下側及び前記第３の折線の上側で，前記第１のグリップパネル及び前記第２のグリップパネルが接着されていることを特徴とするキャリア。
【請求項３】
請求項２に記載のキャリアであって，前記第１の折線及び前記第３の折線はミシン目付きで，前記第２の折線はハーフカット線であることを特徴とするキャリア。
【請求項４】
請求項３に記載のキャリアであって，前記第２のグリップパネル及び前記第２のグリップパネルに対向する前記周壁パネルと連結する仕切りパネルによって，前記第１の収納部と前記第２の収納部が前記第２のグリップパネル側に設けられ，該第２の周壁パネルの該第２の収納部の上側に，前記第１の収納物と前記第２の収納物の奥行きの差に応じて形状が決定される固定片が折線を介して折り曲げ可能に設けられていることを特徴とするキャリア。
【請求項５】
請求項１から請求項４のいずれか一つに記載のキャリアであって，前記第１のグリップパネル及び前記第２のグリップパネルそれぞれには，前記グリップ穴の上側に，グリップ片が折線を利用して折り曲げ可能に設けられていることを特徴とするキャリア。
【請求項６】
請求項１から請求項５のいずれか一つに記載のキャリアを形成するためのブランク。
【発明の詳細な説明】
【技術分野】
【０００１】
本発明は，複数の収納物（例えば，飲料水の缶）を互いに隔離した状態で持運び可能なキャリアに関する。
【背景技術】
【０００２】
複数の商品（例えば，飲料水の缶）を互いに隔離した状態で収納し持運べるキャリアが従来から利用されている。キャリアに複数の商品を収納して販売することで，複数の商品が一度に売れるため，店舗側には売り上げ増加するメリットがあり，また，消費者には，好みの商品を一つずつ取らなくて済むメリットがある。
【０００３】
商品のまとめ売りに利用されるキャリアには，消費者が容易に持運び可能なようにグリップパネルが備えられ，更に，キャリアの内部には，飲料水などの商品を隔離して収納するための複数の収納部が仕切りパネルなどによって設けられている。
【０００４】
キャリアの材質はプラスチック素材の場合もあるが，古紙のリサイクルをも考慮して，飲料水の分野では、ダンボールなどの紙素材を利用したキャリアが増えている。ダンボールなどの紙素材で出来たキャリアは，特許文献１で記載されているように，ダンボールなどの紙素材を打ち抜き加工して一枚のブランクを製造した後，該ブランクを折り曲げ、所定位置を貼り合わせることで形成される。
【０００５】
複数の商品を収納可能なキャリアは，商品のまとめ売りばかりでなく、商品のキャンペーンにも利用され，商品のキャンペーンにキャリアを利用する場合，商品の商品名や謳い文句が印刷されたキャリアが店舗内に山積みされ，キャリアに収納された商品が消費者にアピールされる。
【０００６】
キャリアを商品のキャンペーンに利用する場合，商品ばかりではなく，商品の販促用のノベルティをキャリアに収納できることが望ましく、本出願人は、既に，商品と共に，コップなどのノベルティを収納できるキャリアを特許文献２で開示している。
【先行技術文献】
【特許文献】
【０００７】
【特許文献１】特開２００３−１２８１３１号公報
【特許文献２】特開２００５―１６２２５１号公報
【発明の概要】
【発明が解決しようとする課題】
【０００８】
しかし、商品のキャンペーンにキャリアを利用する場合、キャリアは上下に重なり合うように店舗内で山積みされるため、一つのキャリアに収納するノベルティと商品（例えば、飲料水の缶）の高さが同一でないと，ノベルティを収納する側とその反対側で隙間が生じてしまい，山積みしたキャリアのバランスが悪く，山積みしたキャリアが崩れ易くなってしまう問題があった。
【０００９】
そこで，本発明は，商品とノベルティのように，高さの異なる収納物を一つのキャリアに収納する場合であっても，キャリアを上下に重なり合うように積み重ねたとき、山積みしたキャリアのバランスが悪くなることのないキャリア，及び，該キャリアを形成するためのブランクを提供することを目的とする。
【課題を解決するための手段】
【００１０】
上述した課題を解決する第１の発明は，紙素材でできた一枚のブランクが折り畳み・糊付けして形成されるキャリアであって，前記キャリアは，グリップ穴を有する第１のグリップパネル及び第２のグリップパネルの一部が接着されることで中央が仕切られ，第１の収納物を収納する第１の収納部が前記第１のグリップパネル側に設けられ，前記第１の収納物よりも高さが高い第２の収納物を収納する第２の収納部が前記第２のグリップパネル側に設けられ，前記第１のグリップパネル及び前記第２のグリップパネルそれぞれと連結し，前記第２の収納物の高さに最大高さが合わせられた２つの第１の周壁パネルと，前記第１の周壁パネルと連結する２つの第２の周壁パネルが少なくとも設けられ，前記第１のグリップパネル及び前記第２のグリップパネルの一部を接着した状態で前記第２のグリップパネル側に倒したときに，前記第１の収納物と前記第２の収納物の高さの差を補う両端開放のスリーブを形成する加工が前記第１のグリップパネル及び前記第２のグリップパネルに施されていることを特徴とするキャリアである。
【００１１】
更に，第２の発明は，第１の発明に記載のキャリアであって，前記第１のグリップパネルには，前記第１の周壁パネルの最大高さの箇所に，該位置から前記第１の収納物と前記第２の収納物の高さの差に応じて決定される位置まで下方向に斜めに伸びる一対の切線と，前記切線の下端を結ぶ第１の折線と，前記グリップ穴の下端の両側から水平に伸びる一対の第２の折線と，前記第２の折線の位置から該高さの差に応じて決定される上方向の箇所に，水平に伸びる一対の第３の折線とが設けられ，前記第２のグリップパネルには，前記第１のサイドパネルの最大高さの箇所に水平に伸びる第４の折線が設けられ，前記第１の折線の下側及び前記第３の折線の上側で，前記第１のグリップパネル及び前記第２のグリップパネルが接着されていることを特徴とするキャリアである。
【００１２】
更に，第３の発明は，第２の発明に記載のキャリアであって，前記第１の折線及び前記第３の折線はミシン目付きで，前記第２の折線はハーフカット線であることを特徴とするキャリアである。
【００１３】
更に，第４の発明は，第３の発明に記載のキャリアであって，前記第２のグリップパネル及び前記第２のグリップパネルに対向する前記周壁パネルと連結する仕切りパネルによって，前記第１の収納部と前記第２の収納部が前記第２のグリップパネル側に設けられ，該第２の周壁パネルの該第２の収納部の上側に，前記第１の収納物と前記第２の収納物の奥行きの差に応じて形状が決定される固定片が折線を介して折り曲げ可能に設けられていることを特徴とするキャリアである。
【００１４】
更に，第５の発明は，第１の発明から第４の発明のいずれか一つに記載のキャリアであって，前記第１のグリップパネル及び前記第２のグリップパネルそれぞれには，前記グリップ穴の上側に，グリップ片が折線を利用して折り曲げ可能に設けられていることを特徴とするキャリアである。
【００１５】
更に，第６の発明は，第１の発明から第５の発明のいずれか一つに記載のキャリアを形成するためのブランクである。
【００１６】
上述した第１の発明のように，前記第１のグリップパネル及び前記第２のグリップパネルを，前記第２のグリップパネル側に倒したときに，すなわち，高さの高い前記第２の収納物を収納する反対側に倒したとき，前記第１の収納物と前記第２の収納物の高さの差を補う両端開放の前記スリーブを形成され，前記第２の収納物を収納する側とその反対側で隙間が埋まるため，キャリアを上下に重なり合うように積み重ねても、山積みしたキャリアのバランスが悪くなることはなくなる。
【００１７】
上述した前記スリーブを形成する手法は様々あるが，第２の発明のような加工を前記キャリアに施すと，上述した前記スリーブを形成することができるようになる。また，第３の発明のように加工を施すと，上述した前記スリーブを形成したときに谷折りとなる折線がミシン目付き折線になり，更に，山折りとなる折線がハーフカット線になり，折れる側に折れやすくなるため，前記第１のグリップパネル及び前記第２のグリップパネルを倒すだけで前記スリーブを形成できるようになる。
【００１８】
更に，第４の発明によれば，前記第１の収納物と前記第２の収納物の奥行きに差があっても，前記第２の収納物を収納する側に収納される前記第１の収納物が前記キャリア内で不安定なるのを防止できる。
【００１９】
更に，第５の発明によれば，前記グリップ片を前記キャリアに設けることで，倒された状態の前記第１のグリップパネル及び前記第２のグリップパネルを起こしやすくできる効果が得られる。
【発明の効果】
【００２０】
上述した本発明によれば，商品とノベルティのように，高さの異なる収納物を一つのキャリアに収納する場合であっても，キャリアを上下に重なり合うように積み重ねたとき、山積みしたキャリアのバランスが悪くなることのないキャリア，及び，該キャリアを形成するためのブランクを提供できる。
【図面の簡単な説明】
【００２１】
【図１】収納前のキャリアを説明する図。
【図２】収納後のキャリアを説明する図。
【図３】スリーブが形成された状態のキャリアを説明する図。
【図４】キャリアを２段重ねしたときの状態を説明する図。
【図５】固定片の機能を説明する図。
【図６】ブランクを説明する図。
【発明を実施するための形態】
【００２２】
ここから、本発明のキャリア１及びブランクについて、図を参照しながら詳細に説明する。図１は、収納前のキャリア１を説明する図で，図２は，収納後のキャリア１を説明する図である。
【００２３】
図１で図示したように，本実施形態のキャリア１は，グリップ穴１５を有するグリップパネル１０a，ｂ，４つの周壁パネル１１a〜ｄ，二つの仕切りパネル１２a，ｂ及び４つの底パネル１３a〜ｄなどから構成され，これらのパネルによって，キャリア１には，４つの収納部１７a〜ｄが備えられ，グリップパネル１０a，ｂは，網線で囲った円形の領域が裏側で糊付けされて接着されている。
【００２４】
図２に図示したように，本実施形態において，キャリア１に備えられる収納部１７a〜ｃそれぞれには収納物としてビール缶２aが収納され，キャリア１に備えられる収納部１７ｄには，ビールメーカがキャンペーンで消費者に渡すノベルティ２ｂ（例えば，グラスコップを入れた箱）が収納され，図１及び図２で図示したように，キャリア１を持ち運ぶとき，グリップパネル１０a，ｂは立てた状態で使用される。
【００２５】
キャリア１にノベルティ２ｂを収納するのは，消費者が量販店や大型スーパーでビールを購入するケースが増えて，ノベルティ２ｂの渡し忘れが多くなるからである。従来のように，消費者が小売りでビールを購入する場合，消費者が購入するビールのノベルティ２ｂを消費者に手渡しすることは可能であるが，大型スーパーのレジではアルバイト店員が働いているため，所定のビールにノベルティ２ｂがあることを該アルバイト店員に周知させることは難しい。
【００２６】
消費者に渡すノベルティ２ｂには様々な物があり，ストラップやハンカチーフのようなかさばらない物であれば，収納物を入れたときに生じる隙間にノベルティ２ｂを入れることが可能であるが，グラスコップなどかさばる物の場合，キャリア１に収納するノベルティ２ｂと収納物（ここでは，ビール缶２a）の大きさが異なると，様々な問題が生じてしまう。
【００２７】
例えば，ビール缶２aよりもノベルティ２ｂの高さが高いと，キャリア１を積み重ねたときに，ビール缶２aよりもノベルティ２ｂの高さによる隙間が生じ，積み重ねたキャリア１のバランスが不安定な状態になり，積み重ねたキャリア１が倒れ易くなってしまう。
【００２８】
また，ビール缶２aよりもノベルティ２ｂの奥行きが長いと，キャリア１の収納部１７ｃに収納されるビール缶２aが不安定な状態になり，キャリア１を持ち歩くことでビール缶２aが揺れ，ビール缶２aを開缶したときに内容物（ここでは，ビール）が噴出してしまう可能性がある。
【００２９】
そこで，これらの問題を解決するため，本実施形態のキャリア１には，キャリア１に収納するビール缶２aとノベルティ２ｂの大きさの差を吸収するための工夫が施されている。
【００３０】
本実施形態において，ノベルティ２ｂを収納する反対側にキャリア１のグリップパネル１０a，ｂを倒したときに，ビール缶２aとノベルティ２ｂにおける高さの差によって生じる隙間を吸収するためのスリーブが形成される加工がグリップパネル１０a，ｂに施され，積み重ねたキャリア１のバランスが不安定な状態になることを防止している。
【００３１】
また，キャリア１の周壁パネル１１ｄには，収納部１７ｃにビール缶２aを収納したときに，ビール缶２aとノベルティ２ｂにおける奥行きの差によって生じる隙間を吸収するための固定片１４を設ける加工が施され，収納部１７ｃに収納したビール缶２aが不安定な状態になるのを防止している。
【００３２】
まず，スリーブを形成するためにキャリア１に施された加工について説明する。
【００３３】
図１に図示したように，キャリア１のグリップパネル１０a，ｂと連結している周壁パネル１１a，ｂの最大高さは，高さの高い収納物（ここでは，ノベルティ２ｂ）の高さに合わせられ，グリップパネル１０aには，ビール缶２aとノベルティ２ｂにおける高さの差によって生じる隙間を吸収するためのスリーブを形成するための加工として，切線１００a，ｂ，ミシン目付き折線１０１，ハーフカット線１０２a，ｂ及びミシン目付き折線１０３a，ｂが施され，図１では裏面となり見えないが，グリップパネル１０ｂには折線１０４が施され，更に，ミシン目付き折線１０１の下側2カ所とミシン目付き折線１０３a，ｂの上側２カ所が裏側で糊付けされ，グリップパネル１０ａ，ｂは接着し
ている。
【００３４】
切線１００aはグリップパネル１０aの両側に設けられ，それぞれの切線１００a，bは，グリップパネル１０aと連結している周壁パネル１１a，ｂの最大高さの位置から，本実施形態では，ビール缶２aとノベルティ２ｂにおける高さの差に応じた位置まで下方向に斜めに伸びている。
【００３５】
本実施形態で，キャリア１の高さ方向に対して切線１００a，ｂを斜めにしているのは，グリップパネル１０a，ｂを折り曲げてスリーブを形成したときに，切線１００a，ｂの上端近傍のグリップパネル１０aの断面でグリップパネル１０ｂが支えられる効果が得られるからである。
【００３６】
また，グリップパネル１０aに施されたミシン目付き折線１０１の両端は切線１００a，ｂの下端で，ミシン目付き折線１０１は水平に伸びている。更に，グリップパネル１０に施されたハーフカット線１０２a，ｂは，グリップ穴１の下端と同じ高さの位置に設けられ，グリップ穴１５の下端の角からグリップパネル１０aの端まで水平方向に伸びている。加えて，グリップパネル１０aに施されたミシン目付き折線１０３a，ｂは，グリップ穴１５の下端から，ビール缶２aとノベルティ２ｂにおける高さの差に応じた上方向の位置に設けられ，グリップ穴１５の端からグリップパネル１０aの端まで水平方向に伸びている。
【００３７】
図３は，スリーブが形成された状態のキャリア１を説明する図である。キャリア１を積み上げるとき，グリップパネル１０a，ｂが９０度近傍に折られることで，グリップパネル１０aに設けられたミシン目付き折線１０１，１０３a，ｂが谷方向に，そして，グリップパネル１０aに設けられたハーフカット線１０２a，ｂとグリップパネル１０ｂに設けられた折線１０４が山方向にそれぞれ９０度近傍に折り曲げられ，ノベルティ２ｂとビール缶２aの高低差を吸収するための両端開放のスリーブ１８がキャリア１に形成される。
【００３８】
図３に図示したように，グリップパネル１０ｂの折り曲げられた部分がスリーブ１８の上面になり，また，切線１００a，ｂ，ミシン目付き折線１０１及びハーフカット線１０２a，ｂで囲まれたグリップパネル１０aの部分がスリーブ１８の底面になる。
【００３９】
加えて，ハーフカット線１０２a，ｂ及びミシン目付き折線１０３a，ｂで囲まれたグリップパネル１０aの部分がスリーブ１８の側面になり，更に，切線１００a，ｂ，ミシン目付き折線１０１及びハーフカット線１０２a，ｂで囲まれたグリップパネル１０aの部分が折られることで露出するグリップパネル１０ｂの部分がスリーブ１８の側面になる。
【００４０】
これまで説明したように，スリーブ１８を形成したときに内側に折れるグリップパネル１８aにおいて，山折りとなる折線をハーフカット線１０２a，ｂとし，スリーブ１８を形成したときに谷折りとなる折線をミシン目付き折線１０１，１０３a，ｂとすることで，スリーブ１８を形成するときに折れる方向に折られ易くなり，ノベルティ２ｂを収納する反対側方向にグリップパネル１０a，ｂを押す動作を行うだけで，キャリア１にスリーブ１８が形成できるようになる。
【００４１】
図４は，キャリア１を２段重ねしたときの状態を説明する図である。図５に図示したように，キャリア１を２段重ねしたとき，収納物の高さの低い側，ここでは，ノベルティ２ｂを収納する反対側に形成されたスリーブ１８によって，収納物の高さの差によって生じる隙間が埋まるため，キャリア１を２段重ねしてもバランスが不安定な状態になることはなくなる。
【００４２】
次に，固定片１４を形成するためにキャリア１に施された加工について説明する。
【００４３】
図１に図示したように，キャリア１の収納部を形成する周壁パネル１１ｄは，ビール缶２aとノベルティ２ｂにおける奥行きの差によって生じる隙間を吸収するための固定片１４を設けるために折線１０５が設けられ，折線１０５より上の部分が固定片１４として利用され，固定片１４の奥行き及び形状は，ビール缶２aとノベルティ２ｂにおける奥行きの差及びビール缶２aの形状によって決定される。
【００４４】
図５は，固定片１４の機能を説明する図である。キャリア１の収納部１７ｃにビール缶２aを収納する前は，固定片１４は垂直の状態にあり，キャリア１の収納部１７ｃにビール缶２aを収納した後に，固定片１４はキャリア１の内側に折線１０５に沿って折り曲げられ，収納部１７ｃに収納したビール缶２aがキャリア１に固定される。
【００４５】
また，キャリア１のグリップパネル１０a，ｂに設けられたグリップ穴１５に指を入れ，図３のような状態のキャリア１からグリップパネル１０a，ｂを垂直方向に引き起こし，キャリア１を持ち上げ易くするために，キャリア１のグリップパネル１０a，ｂにはグリップ片１６が折線１０６を介して設けられている。
【００４６】
キャリア１のグリップパネル１０a，ｂに設けられたグリップ穴１５に指を入れることで，グリップ片１６が折線１０６に沿って９０度近傍に折れ，キャリア１の荷重が線ではなくグリップ片１６の面で受けられるため，図３のような状態からキャリア１が持ち上げ易くすることができる。
【００４７】
ここから，キャリア１を形成するためのブランク３について説明する。図６は，キャリア１を形成するためのブランク３を説明する図で，図６において，切線は実線で，谷折り/山折りを問わず折線は点線で，ハーフカット線は二重線で，ミシン目付き折線は太線付きの点線で図示している。
【００４８】
これまで説明したキャリア１は，特許文献１や特許文献２で開示されている発明と同様ように，印刷された用紙が打ち抜き加工機を用いて打ち抜き加工されて製造される一枚のブランク３が折り曲げられ，ブランク３の一部が糊付けされて形成される。
【００４９】
なお，図３で図示したように，本発明のキャリア１には，キャリア１を積み重ねたときに荷重が加わるスリーブ１８が形成されるため，通常の用紙よりも厚目（例えば，1ミリ程度のダンボール）をブランク３の用紙として用いるとよい。
【００５０】
図６に図示したように，ブランク３において，キャリア１のグリップパネル１０aに該当する箇所には，スリーブ１８を形成するために，切線１００a，ｂ，ミシン目付き折線１０１，ハーフカット線１０２a，ｂ及びミシン目付き折線１０３a，ｂが加工され，図１では見えなかったが，グリップパネル１０ｂには，スリーブ１８を形成するために，折線１０４が加工されている。
【００５１】
更に，ブランク３には，これまで説明したパネル以外に，周壁パネル１１ｂと周壁パネル１１ｃを接着して連結するための２つの糊付けパネル１９a，ｂと，更に，底パネル１０aと底パネル１０ｃ並びに底パネル１０ｂと底パネル１０ｄをそれぞれ接着するための糊付けパネル１９ｃ，ｄが設けられ，所定の折線が所定の方向に折られ，それぞれの糊付けパネル１９a〜ｄが熱可塑性接着剤などを用いて接着される。
【００５２】
なお，図６で図示したブランク３の組み立て方の詳細は記載しないが，当業者ならば，図６で図示した折線等を参照することで，図１などで図示したキャリア１の組み立て方は容易にわかるはずである。
【００５３】
また，本発明は、これまで説明した実施の形態に限定されることなく、種々の変形や変更が可能であって、それらも本発明の均等の範囲内である。
【００５４】
キャリアに設けられる収納部の数やキャリアの形状には限定されず，例えば，特許文献１で開示されているキャリアの形状にすることもできる。
【００５５】
また，本発明は，一つのキャリアに高低差のある収納物を収納するときに有用であり，本実施形態では収納物をノベルティ２ｂとビール缶２aにしているが，本発明は収納物に限定されず，例えば，３５０ｍｍの缶と５００ｍｍの缶を一つのキャリアに収納するときにも
利用できる。
【符号の説明】
【００５６】
１    キャリア
１０ａ，ｂ  グリップパネル
１１ａ〜ｄ  周壁パネル
１２ａ，ｂ  仕切りパネル
１３ａ〜ｄ  底パネル
１４  固定片
１５  グリップ穴
１６  グリップ片
１７ａ〜ｄ  収納部
１８  スリーブ
１９ａ〜ｄ  糊付けパネル
１００ａ，ｂ  切線
１０１  ミシン目付き折線
１０２ａ，ｂ  ハーフカット線
１０３ａ，ｂ  ミシン目付き折線
１０４  折線
１０５  固定片の折線
１０６  グリップ片の折線
【図１】
2010265027.tif 000003
【図２】
2010265027.tif 000004
【図３】
2010265027.tif 000005
【図４】
2010265027.tif 000006
【図５】
2010265027.tif 000007
【図６】
2010265027.tif 000008